(57)【特許請求の範囲】
【請求項１】
開口部を有し、かつ、前後に移動可能とすると共に氷を貯える冷蔵庫の貯氷箱において、
前記前後の移動に伴って前記貯えられた氷が外側へ落下するのを防止する落下防止部材を前記開口部の後端に設けることを特徴とする冷蔵庫の貯氷箱。
【請求項２】
前記貯氷箱は引出し扉に設けられ、前記落下防止部材は前記開口部の前記後端を覆うように板状体を前記後端の縁部に配置することを特徴とする請求項１記載の冷蔵庫の貯氷箱。
【発明の詳細な説明】
【０００１】
【発明の属する技術分野】
本発明は、冷蔵庫内に配置される冷蔵庫の貯氷箱に関する。
【０００２】
【従来の技術】
従来、この種の冷蔵庫の貯氷箱として、例えば、特開平５−１３３６５５号公報に開示されたものがあり、この公報によれば上方に氷を製造する製氷皿が配置され下方に引出し扉付の冷凍室に設ける貯氷箱が配置され、離氷動作がされると製氷皿から落下した氷が貯氷箱内に貯えられるようになっている。そして、必要に応じて引出し扉を前方へ引いて開き氷を取出し引出し扉を後方へ押して閉じる。
【０００３】
【発明が解決しようとする課題】
ところで、上記公報による冷蔵庫の貯氷箱では、引出し扉を勢いよく開閉させると貯氷箱内に貯えられた氷が開口部の後端から外側に飛び出して落下するという問題がある。また、同様に引出し扉付でない貯氷箱でも氷を取出すために前後に貯氷箱を移動させると、開口部の後端に山積された氷が外側に落下するという問題がある。
【０００４】
そこで、本発明は、貯氷箱から外側に氷が落下するのを防止できる冷蔵庫の貯氷箱を提供することを目的とする。
【０００５】
【課題を解決するための手段】
請求項１の発明は、開口部を有し、かつ、前後に移動可能とすると共に氷を貯える冷蔵庫の貯氷箱において、前後の移動に伴って貯えられた氷が外側へ落下するのを防止する落下防止部材を設けるようにしたものである。この手段により、貯氷箱の前後の移動に伴って開口部の後端の氷が外側へ落下するのを防止できる。従って、外側へ落下した氷を拾ったり、氷が他の冷凍食品に貼り付いたりするおそれがなくなる。
【０００６】
請求項２の発明は、貯氷箱が引出し扉に設けられ、落下防止部材が開口部の前記後端を覆うように板状体を後端の縁部に配置するようにしたものである。この手段により、引出し扉の開閉によって氷が開口部の後端から外側へ落下するのが防止される。特に、勢いよく引出し扉が開閉されるとき氷が外側へ飛び出すおそれが解消できる。
【０００７】
【発明の実施の形態】
以下、本発明の実施の形態を図面に基づいて説明する。
【０００８】
図１は本発明の実施の形態を示す冷蔵庫の断面図、図２は同冷蔵庫の冷凍室の断面図である。
【０００９】
１は冷蔵庫で、この冷蔵庫１は前方に開口する鋼板製の外箱２と、この外箱２内に間隔を存して組込まれる前方に開口する硬質合成樹脂製の内箱３と、外箱２と内箱３の間に現場発泡方式にて充填された発泡ポリウレタン断熱材４とから本体５が構成されている。内箱３は仕切壁６にて上下に区画され、上側に冷蔵室７が、下側に２段の冷凍室８が形成されている。そして、冷蔵室７の前面開口は扉９で、冷凍室８の前面開口は引出し扉１０にて開閉自在に閉塞されている。
【００１０】
引出し扉１０には裏面に一端を固定したコ字状の枠体１１が図２に示すように固定されている。この枠体１１は本体５に設けられたローラ付固定レール１２に前後方向に摺動自在に嵌合され、左右２つに仕切られた下容器１３を内部で保持している。この下容器１３の上方には上容器１４と自動製氷機１５とが配置されている。冷凍室８の背部には区画壁１６によって区画された冷却器１７と、この冷却器１７の上方に配置された送風機１８とを収納する冷却器室１９が設けられている。区画壁１６には送風機１８の前方に冷凍室８内に冷却器１７で冷却された冷気を吹き出すスリット１８Ａが設けられている。
【００１１】
自動製氷機１５は下方に開口を有する取付フレーム２０と、この取付フレーム２０内に収納される製氷皿２１と、この製氷皿２１を回動する駆動装置２２とで構成されている。製氷皿２１の下方に配置される下容器１３の一方には貯氷箱２３が設けられている。
【００１２】
２４は冷蔵室７内に固定される給水タンクで、この給水タンク２４には、ポンプ２５を取付けた配管２６が接続され、この配管２６は給水タンク２４の反対側の先端を仕切壁６を貫通して製氷皿２１の上方に開口している。２７は仕切壁６内で配管２６を保持する保持具である。
【００１３】
図３および図４は、本発明の要部を示す貯氷箱２３の断面図であって、貯氷箱２３は、引出し扉１０に取付けられ、内箱３０と外箱３１とにより氷３２を貯える槽を形成し、内箱３０の上方に開口部３３を有し、開口部３３の後端縁に落下防止部材としての屋根形状の細長の落下防止板３４を一体的に設け、貯氷箱２３の上方には前述した製氷皿２１と貯氷量検知レバー３７の検知により駆動する駆動装置２２が配置されている。なお、３８は氷を取出すシャベルである。
【００１４】
具体的に内箱３０について説明すると、図５および図６に示すように、長方形状の上方に開口部３３を有し、短手方向の一方を前端３５として、他方を後端３６とし、後端３６に図６に示すように氷の大きさよりやや大きく開口部３３の後端を覆うように落下防止板３４を形成している。
【００１５】
この構成により、適宜貯氷量検知レバー３７が回動され、回動量が所定値に達すると駆動装置２２が離氷動作をして製氷皿２１の氷が貯氷箱２３に落下して氷３２が貯えられる。ユーザーが氷を取出すとき、引出し扉１０を前方へ引くと図４に示すように貯氷箱２３が引き出される。この場合に、貯氷箱２３の後方に上積みに氷３２が貯えられていると、引き出された勢いで氷３２が後方に移動して後端３６を越えて落下しそうになるが、落下防止板３４によって氷３２が係止され外側への落下が防止される。そして、シャベル３８で氷３２を取出した後に図３に示すように引出し扉１０が閉じられる。
【００１６】
図７は本発明の他の実施の形態を示し、これは後端３６に落下防止板３４Ａを設け、落下防止板３４Ａは、切欠け４０によって櫛状にしたもので、この切欠け４０は氷３２が飛び出さない大きさにしている。また、図８は本発明の別の他の実施の形態を示し、この落下防止板３４Ｂは、両端に切欠け４１が形成されるように配置されている。なお、落下防止部材は、貯氷箱２３に一体でなくても別部品として形成してもよく落下を阻止するものであれば板体でなくてもよい。また、本発明は引出し扉１０に一体化して設ける貯氷箱でなく引出し扉１０と別体である貯氷箱にも同様に適用できる。
【００１７】
【発明の効果】
以上説明したように請求項１の発明によれば、落下防止部材を設けるようにしたので、前後の移動に伴って開口部の後端の氷が外側へ落下するのを防止でき、外側へ落下した氷を拾う必要がなく、氷が他の冷凍食品に貼り付くおそれがなくなる。
【００１８】
請求項２の発明によれば、落下防止部材を開口部の後端を覆うように板状体を後端の縁部に配置したので、氷が開口部の後端から外側へ落下するのが防止でき、勢いよく引出し扉を開閉しても氷が外側へ飛び出すおそれを解消することができる。
【図面の簡単な説明】
【図１】本発明の実施の形態を示す冷蔵庫の断面図。
【図２】本発明の実施の形態を示す貯氷箱の配置図。
【図３】本発明の実施の形態を示す引出し扉に設けられる貯氷箱の断面図。
【図４】本発明の実施の形態を示す引出し扉に設けられる貯氷箱が引き出された状態の断面図。
【図５】本発明の要部を示す外観図。
【図６】図５の要部部分の断面図。
【図７】本発明の他の実施の形態を示す部分外観図。
【図８】本発明の更に別の他の実施の形態を示す部分外観図。
【符号の説明】
１  冷蔵庫
５  本体
６  仕切壁
７  冷蔵室
８  冷凍室
９  扉
１０  引出し扉
１５  自動製氷機
２１  製氷皿
２２  駆動装置
２３  貯氷箱
３０  内箱
３１  外箱
３２  氷
３３  開口部
３４，３４Ａ，３４Ｂ  落下防止板
３５  前端
３６  後端
３７  貯氷量検知レバー
３８  シャベル
４０，４１  切欠け
【図１】
0003568313.tif 000002
【図２】
0003568313.tif 000003
【図３】
0003568313.tif 000004
【図４】
0003568313.tif 000005
【図５】
0003568313.tif 000006
【図６】
0003568313.tif 000007
【図７】
0003568313.tif 000008
【図８】
0003568313.tif 000009